(57)【特許請求の範囲】
【請求項１】
通話可能な携帯端末と無線通信する基地局に接続し、前記携帯端末の位置登録をする基地局集約装置において、
前記基地局に係る位置情報および本基地局集約装置に位置登録する携帯端末に係る情報を記憶する位置情報記憶部と、
位置情報を音声合成し、通話中の音声信号に挿入する音声合成・挿入部と、
通話中の音声パスの前記音声合成・挿入部への切り替えおよび切り戻しを行う音声パス切替部と、
前記各部を制御し、所定のサービス要件が満たされる場合に、前記音声パスを前記音声合成・挿入部に切り替え、該音声合成・挿入部に、前記位置情報記憶部が記憶する前記携帯端末の接続する前記基地局に係る位置情報を音声合成した信号を、通話中の音声信号に挿入させることにより音声による携帯端末の位置情報の通知を行う制御部と、
を備えた基地局集約装置。
【請求項２】
前記制御部は、通話者の携帯端末の位置情報を前記通話者の携帯端末へ通知する要求がある場合、前記音声合成・挿入部に、前記音声合成した信号を、通話中の通話相手から通話者への音声信号に挿入させることにより音声による携帯端末の位置情報の通知を行う、請求項１に記載の基地局集約装置。
【請求項３】
前記制御部は、通話者の携帯端末の位置情報を通話相手の携帯端末へ通知する要求がある場合、前記音声合成・挿入部に、前記音声合成した信号を、通話中の通話者から通話相手への音声信号に挿入させることにより音声による携帯端末の位置情報の通知を行う、請求項１に記載の基地局集約装置。
【請求項４】
本基地局集約装置は、本基地局集約装置の構成を有する他の基地局集約装置に接続するネットワークに接続しており、
本基地局集約装置の前記制御部は、
通話相手の携帯端末の位置情報の通知要求がある場合、前記通話相手の携帯端末の接続する基地局に接続する前記他の基地局集約装置宛に前記通話相手の携帯端末の位置情報の通知を要求し、
前記他の基地局集約装置の前記制御部は、
前記携帯端末からの前記通話相手の携帯端末の位置情報の通知要求がある場合に、前記他の基地局集約装置内の音声パスを前記他の基地局集約装置の音声合成・挿入部に切り替え、該音声合成・挿入部に、前記他の基地局集約装置の位置情報記憶部が記憶する前記通話相手の携帯端末の接続する前記基地局に係る位置情報を音声合成した信号を、通話中の通話相手から通話者への音声信号に挿入させることにより音声による携帯端末の位置情報の通知を行う、
請求項１に記載の基地局集約装置。
【請求項５】
前記制御部は、通知する位置情報の粒度の設定を受け付ける、請求項１に記載の基地局集約装置。
【請求項６】
前記通話相手となる被呼者の携帯端末の呼び出し要求とともに一斉呼び出し後の前記被呼者の携帯端末の位置情報の通知要求がある場合、前記被呼者の携帯端末の位置登録をした前記他の基地局集約装置の制御部は、前記他の基地局集約装置配下の基地局による一斉呼び出し後一定時間待機した後、該他の基地局集約装置から前記通話者である発呼者の端末への音声パスの確立と前記音声による位置情報の通知を行うための制御を実行する、請求項４に記載の基地局集約装置。
【請求項７】
通話可能な携帯端末と無線通信する基地局と、該基地局に接続する基地局集約装置と、前記基地局集約装置に接続するネットワークとからなる無線通信システムにおいて、
前記基地局に係る位置情報および前記基地局集約装置に位置登録する携帯端末に係る情報を記憶する位置情報記憶部と、
位置情報を音声合成し、通話中の音声信号に挿入する音声合成・挿入部と、
通話中の音声パスの前記音声合成・挿入部への切り替えおよび切り戻しを行う音声パス切替部と、
前記各部を制御し、所定のサービス要件が満たされる場合に、前記音声パスを前記音声合成・挿入部に切り替え、該音声合成・挿入部に、前記位置情報記憶部が記憶する前記携帯端末の接続する前記基地局に係る位置情報を音声合成した信号を、通話中の音声信号に挿入させることにより音声による携帯端末の位置情報の通知を行う制御部と、
を備えた無線通信システム。
【請求項８】
前記制御部は、通話者の携帯端末の位置情報を前記通話者の携帯端末へ通知する要求があった場合、前記音声合成・挿入部に、前記音声合成した信号を、通話中の通話相手から通話者への音声信号に挿入させることにより音声による携帯端末の位置情報の通知を行う、請求項７に記載の無線通信システム。
【請求項９】
前記制御部は、通話者の携帯端末の位置情報を通話相手の携帯端末へ通知する要求がある場合、前記音声合成・挿入部に、前記音声合成した信号を、通話中の通話者から通話相手への音声信号に挿入させることにより音声による携帯端末の位置情報の通知を行う、請求項７に記載の無線通信システム。
【請求項１０】
前記基地局集約装置は、前記基地局集約装置の構成を有し通話相手の携帯端末の位置登録をした他の基地局集約装置と前記ネットワークを介して接続しており、
前記基地局集約装置の前記制御部は、
前記通話相手の携帯端末の位置情報の通知要求がある場合、前記通話相手の携帯端末の接続する基地局に接続する前記他の基地局集約装置宛に前記通話相手の携帯端末の位置情報の通知を要求し、
前記他の基地局集約装置の前記制御部は、
前記携帯端末からの前記通話相手の携帯端末の位置情報の通知要求がある場合に、前記他の基地局集約装置内の音声パスを前記他の基地局集約装置の音声合成・挿入部に切り替え、該音声合成・挿入部に、前記他の基地局集約装置の位置情報記憶部が記憶する前記通話相手の携帯端末の接続する前記基地局に係る位置情報を音声合成した信号を、通話中の通話相手から通話者への音声信号に挿入させることにより音声による携帯端末の位置情報の通知を行う、
請求項７に記載の無線通信システム。
【請求項１１】
前記基地局集約装置の前記制御部は、通知する位置情報の粒度の設定を受け付ける、請求項７に記載の無線通信システム。
【請求項１２】
前記通話相手となる被呼者の携帯端末の呼び出し要求とともに一斉呼び出し後の前記被呼者の携帯端末の位置情報の通知要求がある場合、前記被呼者の携帯端末の位置登録をした前記他の基地局集約装置の制御部は、前記他の基地局集約装置配下の基地局による一斉呼び出し後一定時間待機した後、該他の基地局集約装置から前記通話者である発呼者の端末への音声パスの確立と前記音声による位置情報の通知を行うための制御を実行する、請求項１０に記載の無線通信システム。
【請求項１３】
通話可能な携帯端末と無線通信する基地局に接続し、前記携帯端末の位置登録をする基地局集約装置による位置情報通知方法であって、
前記基地局に係る位置情報および前記基地局集約装置に位置登録する携帯端末に係る情報を位置情報記憶部に記憶し、
音声合成・挿入部により、位置情報を音声合成し、通話中の音声信号に挿入し、
音声パス切替部により、通話中の音声パスの前記音声合成・挿入部への切り替えおよび切り戻しを行い、
所定のサービス要件が満たされる場合に、前記音声パスを前記音声合成・挿入部に切り替える工程と、
該音声合成・挿入部に、前記位置情報記憶部が記憶する前記携帯端末の接続する前記基地局に係る位置情報を音声合成した信号を、通話中の音声信号に挿入させることにより音声による携帯端末の位置情報の通知を行う工程と、
を含む処理を実行する位置情報通知方法。
【請求項１４】
前記処理は、通話者の携帯端末の位置情報を前記通話者の携帯端末へ通知する要求がある場合、前記音声合成・挿入部に、前記音声合成した信号を、通話中の通話相手から通話者への音声信号に挿入させることにより音声による携帯端末の位置情報の通知を行う工程を含む、請求項１３に記載の位置情報通知方法。
【請求項１５】
前記処理は、通話者の携帯端末の位置情報を通話相手の携帯端末へ通知する要求がある場合、前記音声合成・挿入部に、前記音声合成した信号を、通話中の通話者から通話相手への音声信号に挿入させることにより音声による携帯端末の位置情報の通知を行う工程を含む、請求項１３に記載の位置情報通知方法。
【請求項１６】
前記基地局集約装置は、前記基地局集約装置の構成を有し通話相手の携帯端末の位置登録をした他の基地局集約装置とネットワーク介して接続しており、
前記基地局集約装置が実行する処理は、
前記通話相手の携帯端末の位置情報の通知要求がある場合、前記通話相手の携帯端末の接続する基地局に接続する前記他の基地局集約装置宛に前記通話相手の携帯端末の位置情報の通知を要求する工程を含み、
前記他の基地局集約装置が実行する処理は、
前記携帯端末からの前記通話相手の携帯端末の位置情報の通知要求がある場合に、前記他の基地局集約装置内の音声パスを前記他の基地局集約装置の音声合成・挿入部に切り替える工程と、該音声合成・挿入部に、前記他の基地局集約装置の位置情報記憶部が記憶する前記通話相手の携帯端末の接続する前記基地局に係る位置情報を音声合成した信号を、通話中の通話相手から通話者への音声信号に挿入させることにより音声による携帯端末の位置情報の通知を行う工程を含む、
請求項１３に記載の位置情報通知方法。
【請求項１７】
前記基地局集約装置が実行する処理は、通知する位置情報の粒度の設定を受け付ける工程を含む、請求項１３に記載の位置情報通知方法。
【請求項１８】
前記通話相手となる被呼者の携帯端末の位置登録をした前記他の基地局集約装置が実行する処理は、前記被呼者の携帯端末の呼び出し要求とともに一斉呼び出し後の前記被呼者の携帯端末の位置情報の通知要求がある場合に、前記他の基地局集約装置配下の基地局による一斉呼び出し後一定時間待機した後、該他の基地局集約装置から前記通話者である発呼者の端末への音声パスの確立と前記音声による位置情報の通知を行うための制御を実行する工程を含む、請求項１６に記載の位置情報通知方法。
【発明の詳細な説明】
【技術分野】
【０００１】
本発明の実施形態は、基地局集約装置、無線通信システム、および、位置情報通知方法に関する。
【背景技術】
【０００２】
従来より、携帯端末を持つ人の位置情報を、本人または他の人に通知するサービスが、携帯電話事業者等により提供されている。このような位置情報提供サービスでは、携帯端末に地図情報と共にその位置を表示させるようにしたり音声で出力したり、住所などをメールで連絡することが行われている。
【先行技術文献】
【特許文献】
【０００３】
【特許文献１】特許第３４１１３９３号公報
【特許文献２】特許第３４７３０９４号公報
【特許文献３】特開２００２−１０１４５８号公報
【特許文献４】特開２００３−４６６４９号公報
【発明の概要】
【発明が解決しようとする課題】
【０００４】
しかしながら、従来技術においては、携帯端末を操作しながら位置情報を知ることになり、音声通話中（会話中）に位置情報を知ることができない。実生活においては、音声通話中に自身や通話相手の位置を知りたい場合がある。例えば、自身と通話相手の双方の位置関係を知りたい場合、通話相手との会話において住所などの位置情報の提供があれば、双方の位置関係をつかみやすい。また、住所把握スキルが低い子供や老人などの場合、自身の現在の位置情報を保護者との会話中に提供できれば、保護者の安心につながる。また、待ち合わせ等でもお互いの位置を見失う場合は、会話をしながらお互いの位置を確認するのが普通であり、このとき住所などの一般的な位置情報を知ることができれば、お互いの位置の確認が容易となる。
【０００５】
従来技術では、位置情報を画像情報または音声情報で提供するにしても、通話者は、位置情報を知るために一旦通話を中断する必要があり、音声通話中に必要な位置情報をタイムリーに取得することができなかった。
【０００６】
本発明が解決しようとする課題は、音声通話中に、通話者のどちらにも音声で位置情報を提供することができる基地局集約装置、無線通信システム、および、位置情報通知方法を提供することである。
【課題を解決するための手段】
【０００７】
実施形態の基地局集約装置は、通話可能な携帯端末と無線通信する基地局に接続し、携帯端末の位置登録をする基地局集約装置である。当該基地局集約装置は、基地局に係る位置情報および本基地局集約装置に位置登録する携帯端末に係る情報を記憶する位置情報記憶部と、位置情報を音声合成し、通話中の音声信号に挿入する音声合成・挿入部と、通話中の音声パスの音声合成・挿入部への切り替えおよび切り戻しを行う音声パス切替部と、各部を制御し、所定のサービス要件が満たされる場合に、音声パスを音声合成・挿入部に切り替え、該音声合成・挿入部に、位置情報記憶部が記憶する携帯端末の接続する基地局に係る位置情報を音声合成した信号を、通話中の音声信号に挿入させることにより音声による携帯端末の位置情報の通知を行う制御部と、を備える。
【図面の簡単な説明】
【０００８】
【図１】図１は、実施例１としての位置情報を提供する無線通信システムの実施の形態を示すシステム構成図である。
【図２】図２は、実施例１において特徴的な基地局集約装置の構成を示すブロック図である。
【図３】図３は、基地局管理情報部が保持するデータの一例を示す図である。
【図４】図４は、位置情報ＤＢ部が保持するデータの一例を示す図である。
【図５】図５は、通話者の携帯端末が、自機の位置情報を取得する場合の音声パスの切替状態を示す図である。
【図６】図６は、通話相手に、通話者の携帯端末の位置情報を提供する場合の音声パスの切替状態を示す図である。
【図７】図７は、実施例１における、携帯端末にて自機の位置情報を取得する場合の動作シーケンスの一例を示す図である。
【図８】図８は、実施例１における、通話者の携帯端末の位置情報を通話相手に通知する場合の動作シーケンスの一例を示す図である。
【図９】図９は、実施例２における、通話相手の携帯端末の位置情報を、通話者に通知する場合の動作シーケンスの一例を示す図である。
【図１０】図１０は、実施例３における、一定時間毎に位置情報を取得する（通知を受ける）場合のサービス判定部と制御部の動作を説明するフローチャートである。
【図１１】図１１は、実施例４を説明するためのシステム構成図である。
【図１２】図１２は、実施例４における、携帯端末ＭＳ１が接続する基地局が基地局ＣＳ１から基地局ＣＳ３に変更されたときの、位置情報通知に係る動作シーケンスの一例を示す図である。
【図１３】図１３は、実施例４における、基地局集約装置ＣＲ１に接続する基地局ＣＳ３から基地局集約装置ＣＲ３に接続するに基地局ＣＳ５に、携帯端末ＭＳ１の接続が変更された場合の、位置情報通知に係る動作シーケンスの一例を示す図である。
【図１４】図１４は、実施例５における、設定された位置情報の粒度に応じて通知する位置情報の内容を変更する場合の動作の一例を示すフローチャートである。
【図１５】図１５は、実施例６としての無線通信システムの実施の形態を示すシステム構成図である。
【図１６】図１６は、実施例６に係る動作シーケンスの一例を示す図である。
【発明を実施するための形態】
【０００９】
（定義）
以下に説明する諸実施例において、一方の通話者を「通話者」、他方の通話者を「通話相手」と称す。この定義の下、「通話者」および「通話相手」は、それぞれ発呼者にも被呼者にもなりうる。
【００１０】
（実施例１）
（システム構成）
図１は、実施例１としての位置情報を提供する無線通信システムの実施の形態を示すシステム構成図である。
【００１１】
図１において、携帯網５０は、基地局集約装置３０、および認証・管理サーバ４０と接続し、基地局２０は、基地局集約装置３０と接続している。携帯端末１０は、基地局２０を介して携帯網５０に接続する。本システムにおける基本的なハードウェア構成は、既存の携帯電話システムと同様である。なお、認証・管理サーバ４０は、少なくとも、どの携帯端末１０が、どの基地局集約装置３０の配下の基地局２０に接続しているか管理している。また、携帯端末１０は、ユーザによる既定の操作（ボタン操作等）に応じて、対応するサービス要求を基地局集約装置３０宛に発信するものとする。また、複数ある、携帯端末１０、基地局２０、基地局集約装置３０の個々を区別する場合、図１に示すように、携帯端末１０については、ＭＳ１、ＭＳ２・・・、基地局２０については、ＣＳ１、ＣＳ２、・・・、基地局集約装置３０については、ＣＲ１、ＣＲ２、・・・、の記号を用いて説明することとする（後述する他の諸実施例においても同様である）。
【００１２】
（装置構成）
図２は、本実施例において特徴的な基地局集約装置３０の構成を示すブロック図である。
【００１３】
図２に示すように、基地局集約装置３０は、音声パス切替部３０１、音声合成・挿入部３０２、位置情報ＤＢ部３０３、基地局管理情報部３０４、サービス判定部３０５、および制御部３０６により構成される。この基地局集約装置３０は、複数の基地局２０、および、携帯網５０に接続する。
【００１４】
音声パス切替部３０１は、基地局集約装置３０内で、通話中の音声信号が流れる経路（音声パス）の切り替えを行う。通常は、当該基地局集約装置３０を介して基地局２０と携帯網５０間で流れる音声信号をダイレクトに入出力する。一方、通話中に位置情報を知らせる音声を挿入する場合には、音声パスを音声合成・挿入部３０２を経由するように切り替える。
【００１５】
音声合成・挿入部３０２は、下記の位置情報ＤＢ部３０３で保持している位置情報を基に、該当する位置情報を通話者に音声で知らせるための音声信号を、音声合成により生成し、通話中の音声信号に合成して出力する。例えば、位置情報を知らせるための定型文（例えば、「現在位置は、＊＊＊です。」）を表す音声データ（音声信号）に、上記位置情報（例えば、該当の町名や番地）を音声合成により音声データ（音声信号）に変換し、上記定型文の所定の位置（＊＊＊の部分）に音声合成した位置情報を挿入し完成させた音声データ（音声信号）を、通話中の音声に合成して出力する。これにより、通話音声は、音声合成された位置情報の音声が挿入されたものとなる。なお、音声合成の手法は、任意であり、周知の技術を採用することができる。
【００１６】
位置情報ＤＢ部３０３は、各基地局ＩＤに対応する各基地局２０の位置情報を保持する。図４に例示すように、例えば、該当の基地局２０が設置されている町名や番地の情報を保持する。また、ページングエリアに対応する位置情報である町名やランドマークとなる駅名などの情報を保持する。また、基地局集約装置３０が配下にあるページングエリア群の位置情報、たとえば、市、群、県名やランドマークとなる「駅名から○○ｋｍの範囲」などの情報を保持する。さらに、携帯端末が接続している基地局ＩＤと、該当の携帯端末の端末番号または電話番号の関係を、接続中に一時的に保持する。
【００１７】
基地局管理情報部３０４は、一斉呼び出し等に使うページングエリア情報、および、ページングエリアに所属する基地局ＩＤ情報（図３参照）を保持する。
【００１８】
サービス判定部３０５は、携帯端末１０からのサービス要求を判定し、制御部３０６に判定結果を通知する。
【００１９】
制御部３０６は、当該基地局集約装置３０の各部を制御するが、サービス判定部３０５からの通知を受けると、この通知を基に、音声パス切替部３０１および音声合成・挿入部３０２に対してサービス要求に従った制御を行う。サービス要求で位置情報提供要求がされている場合には、位置情報を、ユーザがその通知を所望する携帯端末１０に音声で通知するように制御する。
【００２０】
位置情報を通知する場合、制御部３０６は、位置情報の通知を要求する携帯端末１０が接続する基地局ＩＤを元に、ページングエリアの位置情報、基地局２０の位置情報、基地局集約装置３０の位置情報を位置情報ＤＢから検索し、検索結果を音声合成・挿入部３０２に入力する。さらに、制御部３０６は、通常は音声信号をダイレクトに入出力する音声パス切替部３０１の音声パスを、音声合成・挿入部３０２に切り替える。切替後に、音声合成・挿入部３０２は、制御部３０６により入力された位置情報を音声合成し、音声合成した音声信号を、音声パスを流れる通話中の音声に合成して出力し、ユーザが通知を所望する携帯端末１０に、位置情報を音声として通知する。
【００２１】
以上、基地局集約装置３０を構成する各部の機能について説明したが、ハードウェアとしては、音声パス切替部３０１は、スイッチ等の回路により構成され、音声合成・挿入部３０２は、ＤＳＰ（Digital  Signal  Processor）等を用いた専用回路等により構成され、位置情報ＤＢ部３０３および基地局管理情報部３０４は、メモリ等の記憶装置により構成され、サービス判定部３０５および制御部３０６は、ＣＰＵおよび各部を制御するための制御プログラムを記憶するメモリおよび主記憶装置等により構成される。
【００２２】
図５に、図示しない通話者の携帯端末１０が基地局２０に接続されていて、当該携帯端末１０が自機の位置情報を取得する場合の音声パスの切替状態を示す。ここでは、携帯網５０から基地局２０への方向の音声パスのみ音声合成・挿入部３０２に切り替えて、携帯端末１０の位置情報を携帯端末１０側に音声で通知を行う。
【００２３】
次に、図６に、図示しない通話者の携帯端末１０が基地局２０に接続されていて、通話相手に自機（携帯端末１０）の位置情報を提供する場合の音声パスの切替状態を示す。携帯端末１０から携帯網５０への方向の音声パスのみ音声合成・挿入部３０２に切り替えて、自端末の位置情報を図示しない通話相手の携帯端末１０側に音声で通知する。
【００２４】
（動作シーケンス）
次に、携帯端末１０にて自機の位置情報を取得する場合の動作について説明する。図７は、携帯端末１０にて自機の位置情報を取得する場合の動作シーケンスの一例を示す図である。ここでは、通話者の携帯端末１０を携帯端末ＭＳ１とし、通話相手の携帯端末１０を携帯端末ＭＳ２とする（後述する他の実施例でも同様）。
【００２５】
図７に示すように、ここでは、すでに携帯端末ＭＳ１と携帯端末ＭＳ２との間の音声パスが確立しているものとする（Ｓ１００１）。
【００２６】
音声パスが確立している状態で、携帯端末ＭＳ１は、基地局ＣＳ１に、携帯端末ＭＳ１の位置情報を携帯端末ＭＳ１に通知させるサービス要求ＳＲＱ１（位置情報取得要求）を通知する（Ｓ１００２）。
【００２７】
基地局ＣＳ１は、受信したサービス要求ＳＲＱ１を基地局集約装置ＣＲ１に転送する（Ｓ１００３）。
【００２８】
基地局集約装置ＣＲ１のサービス判定部３０５は、受け取ったサービス要求ＳＲＱ１に対する判定を行う（Ｓ１００４）。
【００２９】
基地局集約装置ＣＲ１のサービス判定部３０５は、受け取ったサービス要求ＳＲＱ１が、携帯端末ＭＳ１の位置情報を携帯端末ＭＳ１に通知する位置情報取得要求と判定すると、基地局集約装置ＣＲ１の制御部３０６は、基地局集約装置ＣＲ１内の音声パス切替部３０１を制御し、携帯端末ＭＳ２から携帯端末ＭＳ１への音声パスを音声合成・挿入部３０２に接続するように切り替えて、切り替えられた音声パス上の音声信号（音声データ）に位置情報を音声合成した音声信号を挿入する。これにより、携帯端末ＭＳ１にその位置情報が通知される（Ｓ１００５）。
【００３０】
位置情報の挿入が終了すると（すなわち位置情報の通知が終了すると）、音声パス切替部３０１は、音声合成・挿入部３０２に接続していた音声パスを切り戻す（すなわち、切り替え前の音声パスに戻す）（Ｓ１００６）。
【００３１】
次に、ユーザが、自身が使用する携帯端末１０の位置情報を通話相手に通知する場合の動作について説明する。図８は、通話者の携帯端末１０の位置情報を通話相手に通知する場合の動作シーケンスの一例を示す図である。
【００３２】
図８に示すように、ここではすでに携帯端末ＭＳ１と携帯端末ＭＳ２との間の音声パスが確立しているものとする（Ｓ１００１）。
【００３３】
携帯端末ＭＳ１は、基地局ＣＳ１に、携帯端末ＭＳ１の位置情報を通話相手の携帯端末ＭＳ２に通知するためのサービス要求ＳＲＱ２（位置情報通知要求）を送る（Ｓ１０１２）。
【００３４】
基地局ＣＳ１は、携帯端末ＭＳ１からのサービス要求ＳＲＱ２を基地局集約装置ＣＲ１に転送する（Ｓ１０１３）。
【００３５】
基地局集約装置ＣＲ１は、基地局ＣＳ１から受け取ったサービス要求ＳＲＱ２に対する判定を行う（Ｓ１０１４）。
【００３６】
基地局集約装置ＣＲ１の制御部３０６は、受け取ったサービス要求ＳＲＱ２が携帯端末ＭＳ１の位置情報を通話相手の携帯端末ＭＳ２へ通知する位置情報通知要求と判定し、携帯端末ＭＳ１から携帯端末ＭＳ２への音声パスを、基地局集約装置ＣＲ１の音声パス切替部３０１が音声合成・挿入部３０２に接続するように切り替えて、切り替えられた音声パス上の音声信号に携帯端末ＭＳ１の位置情報を音声合成して挿入する（Ｓ１０１５）。
【００３７】
位置情報の挿入が終了すると、音声パス切替部３０１は、音声合成・挿入部３０２に接続していた音声パスの切り戻しを行い、切り替え前の音声パスに戻す（Ｓ１０１６）。
【００３８】
なお、本実施形態では、通話相手を携帯端末として説明したが、通話相手が固定電話でもよい。また、携帯端末から発信されるサービス要求は、制御ｃｈ等を用いて基地局２０および基地局集約装置３０に通知してもよいし、ダイヤルトーンを用いた方法で通知するようにしてもよい。
【００３９】
本実施例によれば、音声通話中に、通話者が使用する携帯端末１０の現在の位置情報を音声で、通話者自身が取得したり、通話相手に通知することができる。
【００４０】
（実施例２）
上記実施例１では、携帯端末１０（ＭＳ１）が、自機の位置情報を取得するケース、および、自機の位置情報を通話相手の携帯端末１０（ＭＳ２）に通知するケースについて説明した。本実施例２では、携帯端末１０が、通話相手の携帯端末１０の位置情報を取得する例について説明する。なお、本実施例におけるシステム構成は図１に示したもの同じであり、装置構成は図２に示したものと同じであるのでその説明は省略する。
【００４１】
（動作シーケンス）
図９は、通話相手の携帯端末１０の位置情報を、通話者に通知する場合の動作シーケンスの一例を示す図である。
【００４２】
図９に示すように、ここではすでに携帯端末ＭＳ１と携帯端末ＭＳ２との間の音声パスが確立しているものとする（Ｓ１００１）。
【００４３】
音声パスが確立している状態で、携帯端末ＭＳ１は、基地局ＣＳ１に、通話相手の携帯端末ＭＳ２の位置情報を携帯端末ＭＳ１に通知するためのサービス要求ＳＲＱ３を送る（Ｓ１０２２）。
【００４４】
基地局ＣＳ１は、サービス要求ＳＲＱ３を基地局集約装置ＣＲ１に転送する（Ｓ１０２３）。
【００４５】
基地局集約装置ＣＲ１のサービス判定部３０５は、受け取ったサービス要求に対する判定を行う（Ｓ１０２４）。判定の結果、受け取ったサービス要求が、携帯端末ＭＳが通話相手の携帯端末ＭＳ２の位置情報を取得するものであるので、まず、基地局集約装置ＣＲ２の宛先情報を取得するために、基地局集約装置ＣＲ１の制御部３０６は、認証・管理サーバ４０に対し、宛先（基地局集約装置ＣＲ２）の問い合わせを行う（Ｓ１０２５）。このとき、例えば通話相手の携帯端末２の管理番号や電話番号などを用いて問い合わせる。
【００４６】
認証・管理サーバ４０は、どの携帯端末１０が、どの基地局集約装置３０の配下の基地局２０に接続しているかを把握しているので、問い合わせがあった基地局集約装置ＣＲ２の宛先情報を返信する（Ｓ１０２６）。
【００４７】
基地局集約装置ＣＲ１の制御部３０６は、認証・管理サーバ４０から取得した基地局集約装置ＣＲ２の宛先情報を用いて、サービス要求ＳＲＱ３を基地局集約装置ＣＲ２に送付する（Ｓ１０２７）。
【００４８】
基地局集約装置ＣＲ２のサービス判定部３０５は、基地局集約装置ＣＲ１から受信したサービス要求（ＳＲＱ３）を判定する（Ｓ１０２８）。
【００４９】
基地局集約装置ＣＲ２のサービス判定部３０５は、受け取ったサービス要求（ＳＲＱ３）が携帯端末ＭＳ２の位置情報を携帯端末ＭＳ１に通知する要求と判定し、この判定の結果、基地局集約装置ＣＲ２の制御部３０６は、携帯端末ＭＳ２から携帯端末ＭＳ１への音声パスを、基地局集約装置ＣＲ２内の音声パス切替部３０１が音声合成・挿入部３０２に接続するように切り替えて、切り替えられた音声パス上の音声信号に携帯端末ＭＳ２の位置情報を音声合成して挿入する（Ｓ１０２９）。
【００５０】
位置情報の挿入が終了すると、音声パス切替部３０１は、音声合成・挿入部３０２に接続していた音声パスの切り戻しを行い、切り替え前の音声パスに戻す（Ｓ１０３０）。
【００５１】
本実施例によれば、音声通話中に、通話者が通話相手の携帯端末の現在の位置情報を音声で取得することができる。
【００５２】
（実施例３）
次に、一定時間毎に位置情報を取得する（通知を受ける）場合の実施例について説明する。なお、システム構成は図１に示したものと同じであり、装置構成も図２に示したものと同じである。ただし、サービス判定部３０５と制御部３０６の動作が変わる。以下では、本実施例における動作を、図１０のフローチャートを用いて説明する。
【００５３】
基地局集約装置ＣＲ１のサービス判定部３０５は、基地局ＣＳ１から携帯端末ＭＳ１からのサービス要求（ＳＲＱｒｐ）を受け取り（Ｓ１０１）、このサービス要求が定期的に位置情報を通知するもの（ＳＲＱｒｐ）であるか否かの判断を行う（Ｓ１０２）。
【００５４】
受け取ったサービス要求が位置情報を定期的に行うもの（ＳＲＱｒｐ）でない場合で、前述の実施例１または実施例２におけるサービス要求（ＳＲＱ１、ＳＲＱ２、ＳＲＱ３）である場合は、前述の実施例１または実施例２で説明したようにして、制御部３０６が、位置情報の通知処理を１度だけ行い（Ｓ１０３）、音声パスを元に戻す終了処理を行う（Ｓ１０４）。
【００５５】
一方、受け取ったサービス要求が位置情報の通知を定期的に行うもの（ＳＲＱｒｐ）である場合は、基地局集約装置ＣＲ１の制御部３０６は、通知周期の設定を行い、設定された通知周期の時間が経過する毎に（Ｓ１０５）、位置情報の通知処理を行う（Ｓ１０６）。
【００５６】
上記のように本実施例は、前述の実施例１が、携帯端末１０から位置情報取得要求を受けたときに位置情報を通知していたのに対し、通知周期の時間が経過する毎に位置情報を音声で提供するものとなっている。なお、音声による位置情報の通知処理における具体的な動作は、前述の実施例１におけるサービス判定後の動作と同様である。
【００５７】
本実施例によれば、通話者は、自身の携帯端末１０を使って一度要求をするだけで、一定時間毎に位置情報を取得することができる。
【００５８】
（実施例４）
携帯端末１０は移動が可能であり、移動に応じてその位置情報の通知を受けると便利である。ここでは、携帯端末１０の移動に応じて位置情報の通知を受けることができるようにした実施例について説明する。図１１に、本実施例を説明するシステム構成を示す。
【００５９】
図１１に示すように、携帯網５０に基地局集約装置３０が接続し、基地局集約装置３０に複数の基地局２０が接続する。ここでは、携帯端末ＭＳ２は基地局ＣＳ２に接続している状態で、携帯端末ＭＳ１が、最初は基地局ＣＳ１に接続しているが、移動に伴い、次に基地局ＣＳ３へ接続先を変え、さらに基地局ＣＳ５へと接続先を変えていくものとして説明する。装置構成は図２と同じである。図１２に、携帯端末ＭＳ１が接続する基地局２０が基地局ＣＳ１から基地局ＣＳ３に変更されたときの、位置情報通知に係る動作シーケンスの一例を示す。
【００６０】
図１２に示すように、ここではすでに携帯端末ＭＳ１と携帯端末ＭＳ２との間の音声パスが確立しているものとする（Ｓ１００１）。
【００６１】
この音声パスが確立している状態で、携帯端末ＭＳ１は基地局ＣＳ１に、携帯端末ＭＳ１の位置情報が変更されるたびにその位置情報を携帯端末ＭＳ１に通知するためのサービス要求ＳＲＱ４を行う（Ｓ１０５１）。
【００６２】
基地局ＣＳ１は、携帯端末ＭＳ１から受信したサービス要求ＳＲＱ４を基地局集約装置ＣＲ１に転送する（Ｓ１０５２）。
【００６３】
基地局集約装置ＣＲ１のサービス判定部３０５は、受け取ったサービス要求ＳＲＱ４に対する判定を行う（Ｓ１０５３）。
【００６４】
基地局集約装置ＣＲ１のサービス判定部３０５は、受け取ったサービス要求ＳＲＱ４が携帯端末ＭＳ１の位置情報が変更されるたびに携帯端末ＭＳ１に位置情報を通知するサービス要求であると判定すると、基地局集約装置ＣＲ１の制御部３０６は、基地局集約装置ＣＲ１内の音声パス切替部３０１および音声合成・挿入部３０２を制御し、携帯端末ＭＳ２から携帯端末ＭＳ１への音声パスを音声合成・挿入部３０２に接続するように切り替えて、切り替えられた音声パス上の音声信号（音声データ）に現在の携帯端末ＭＳ１の位置情報を音声合成した音声信号（音声データ）を挿入／合成することにより、携帯端末ＭＳ１にその位置情報を通知する（Ｓ１０５４）。
【００６５】
位置情報の挿入が終了すると、基地局集約装置ＣＲ１の制御部３０６の制御により、音声パス切替部３０１が、音声合成・挿入部３０２に接続していた音声パスの切り戻しを行う（Ｓ１０５５）。
【００６６】
その後、携帯端末ＭＳ１が基地局ＣＳ１から基地局ＣＳ３に接続が変更され、新たな音声パスが確立する（Ｓ１０５６）。このとき、携帯端末ＭＳ１の接続する基地局２０がＣＳ１からＣＳ３に変更されたため、基地局集約装置ＣＲ１の位置情報ＤＢ部３０３の内容が更新される（Ｓ１０５７）。位置情報ＤＢ部３０３の更新をうけて、基地局集約装置ＣＲ１の制御部３０６は、再度基地局集約装置ＣＲ１の音声パス切替部３０１を音声合成・挿入部３０２に接続するように切り替えさせ、音声合成・挿入部３０２で音声合成した携帯端末ＭＳ１の新しい位置情報を通話音声（音声信号）に挿入して携帯端末ＭＳ１に通知する（Ｓ１０５８）。
【００６７】
位置情報の挿入が終了すると（すなわち位置情報の通知が終了すると）、基地局主役装置ＣＲ１の制御部３０６は、音声パス切替部３０１を制御し、音声合成・挿入部３０２に接続していた音声パスを切り戻し、切り替え前の音声パスに戻す（Ｓ１０５９）。
【００６８】
次に、携帯端末１０がさらに移動して、先に接続していた基地局２０に接続する基地局集約装置３０とは異なる基地局集約装置３０配下の基地局２０に接続するような移動をした場合について説明する。図１３に、基地局集約装置ＣＲ１に接続する基地局ＣＳ３から基地局集約装置ＣＲ３に接続するに基地局ＣＳ５に、携帯端末ＭＳ１の接続が変更された場合の動作シーケンスの一例を示す。
【００６９】
図１３に示すように、ここではすでに基地局集約装置ＣＲ１を介して携帯端末ＭＳ１と携帯端末ＭＳ２との間の音声パスが確立しているものとする（Ｓ１００１）。
【００７０】
音声パスが確立している状態で、携帯端末ＭＳ１は基地局ＣＳ３に対し、携帯端末ＭＳ１の位置情報を携帯端末ＭＳ１の位置情報が変更されるたびに通知するようにするサービス要求（ＳＲＱ４）を通知する（Ｓ１０６１）。
【００７１】
基地局ＣＳ３は、受信したサービス要求（ＳＲＱ４）を基地局集約装置ＣＲ１に転送する（Ｓ１０６２）。
【００７２】
基地局集約装置ＣＲ１のサービス判定部３０５は、受け取ったサービス要求（ＳＲＱ４）に対する判定を行う（Ｓ１０６３）。
【００７３】
基地局集約装置ＣＲ１のサービス判定部３０５は、受け取ったサービス要求が、携帯端末ＭＳ１の位置情報が変更されるたびに自機の位置情報を通知するサービス要求（ＳＲＱ４）であると判定すると、基地局集約装置ＣＲ１内の音声パス切替部３０１および音声合成・挿入部３０２を制御し、携帯端末ＭＳ２から携帯端末ＭＳ１への音声パスを音声合成・挿入部３０２に接続するように切り替えて、切り替えられた音声パス上の音声信号に現在の携帯端末ＭＳ１の位置情報を音声合成した音声信号を挿入することにより、携帯端末ＭＳ１にその位置情報通知する（Ｓ１０６４）。
【００７４】
位置情報の挿入が終了すると、音声パス切替部３０１は、音声合成・挿入部３０２に接続していた音声パスの切り戻しを行う（Ｓ１０６５）。
【００７５】
その後、携帯端末ＭＳ１が移動し、携帯端末ＭＳ１の接続先が基地局ＣＳ３から基地局ＣＳ５に変更され、新たな音声パスを確立する前に、ハンドオーバ処理と共に、基地局集約装置ＣＲ１から基地局集約装置ＣＲ２へ、携帯端末ＭＳ１からのサービス要求（ＳＲＱ４）が通知される（Ｓ１０６６）。
【００７６】
基地局集約装置ＣＲ３のサービス判定部３０５は、受信したサービス要求（ＳＲＱ４）の判定を行う（Ｓ１０６７）。また、このとき携帯端末ＭＳ１が基地局ＣＳ５に接続されるため、基地局集約装置ＣＲ３の位置情報ＤＢ部３０３の内容が更新される（Ｓ１０６８）。基地局集約装置ＣＲ３のサービス判定部３０５は、受け取ったサービス要求ＳＲＱ４が、携帯端末ＭＳ１の位置情報が変更されるたびに自機の位置情報を通知するサービス要求（ＳＲＱ４）であると判定すると、基地局集約装置ＣＲ３の制御部３０６は、このときのハンドオーバに対する新たな音声パスを構築する際、基地局集約装置ＣＲ３の制御部３０６は、携帯端末ＭＳ１の位置情報を音声合成して通話音声に挿入するように、基地局集約装置ＣＲ３の音声パス切替部３０１を音声合成・挿入部３０２に接続した音声パスを構築する。これにより音声合成・挿入部３０２により音声合成された位置情報が通話音声に挿入されて携帯端末ＭＳ１に通知される（Ｓ１０６９）。
【００７７】
位置情報の通知が終了すると、基地局集約装置ＣＲ３の制御部３０６の制御により、音声パス切替部３０１が、音声パスの切り戻しを行う（Ｓ１０７０）。
【００７８】
上記のように本実施例は、前述の実施例１が、携帯端末１０から位置情報取得要求を受けたときに位置情報を通知していたのに対し、携帯端末ＭＳ１の位置情報が変更される毎に位置情報を提供するものとなっている。なお、上記では、自機（ＭＳ１）の位置情報を自機に通知させる例について説明したが、自機の位置情報の通知先が通話相手の携帯端末ＭＳ２であってもよい。位置情報の通知先が通話相手の場合は、基地局集約装置ＣＲ１、ＣＲ３の位置情報ＤＢ部３０３の携帯端末ＭＳ１の位置情報が変更されたときに、前述の実施例１の後半で説明した図８の動作シーケンスで示したＳ１００５以降の動作を行うことにより通知することができる。
【００７９】
また、上記では、動作シーケンスを、携帯端末１０が基地局２０間を移動する場合と基地局集約装置３０間を移動する場合とで個別に説明したが、基地局２０間からさらに基地局集約装置３０間での携帯端末１０の移動に伴う位置情報変更に対する位置情報の通知は、連続的に行うことが可能である。
【００８０】
本実施例によれば、携帯端末の移動に応じて、その位置情報の通知を受けたり、通話相手に自機の位置情報を通知することができる。
【００８１】
（実施例５）
上述した実施例４のように位置情報が更新される度に位置情報を取得する場合、たとえば自動車や鉄道などで移動する場合は、位置情報の粒度が小さいと、頻繁に音声にて位置情報が通知され、会話に支障をきたす場合がある。この場合、位置情報の通知の粒度を変えられると便利である。たとえば、歩行中は番地レベルでの通知、自動車での移動では、○○町単位や市、群単位での通知が良い。ここでは、このような場合に対応した実施例について説明する。図１４のフローチャートに、設定された位置情報の粒度に応じて通知する位置情報の内容を変更する場合の動作の一例を示す。
【００８２】
携帯端末からのサービス要求（ＳＲＱ４）に位置情報粒度設定が加わり、この位置情報粒度設定に応じて基地局集約装置３０の制御部３０６に位置情報の粒度設定がなされる。たとえば、基地局位置情報単位、または、ページングエリア位置情報単位での位置情報通知である。なお、位置情報粒度設定は、サービス要求（ＳＲＱ４）ではなく、位置情報粒度設定のためのサービス要求により別途設定することも可能である。
【００８３】
携帯端末１０が接続する基地局ＩＤが変更されると、位置情報ＤＢの内容の変更が発生するため、はじめに、基地局集約装置３０の制御部３０６は、位置情報ＤＢ部３０３の内容の変更が発生したか否かを確認する（Ｓ２０１）。
【００８４】
位置情報ＤＢ部３０３の内容の変更が確認されると、基地局集約装置３０の制御部３０６は、位置情報の粒度設定がページングエリアの粒度であるかを確認する（Ｓ２０２）。
【００８５】
このときページングエリアの粒度設定であれば、位置情報ＤＢ部３０３の、携帯端末の接続する基地局２０のページングエリアが以前と変化しているか確認する（Ｓ２０３）。
【００８６】
ここでページングエリアの内容が変化していれば、基地局集約装置３０の制御部３０６は、現在のページングエリア位置情報までを音声合成して通知するように制御する（Ｓ２０４）。一方、上記ページングエリアが変化していなければ通知は行わず、Ｓ２０１に戻る。
【００８７】
Ｓ２０２の確認において、位置情報の粒度設定がページングエリアの粒度でなかった場合、基地局集約装置３０の制御部３０６は、さらに、位置情報の粒度設定が基地局レベルの粒度であるかを確認する（Ｓ２０５）。
【００８８】
このとき基地局レベルの粒度設定であれば、基地局集約装置３０の制御部３０６は、基地局レベルの通知と判断して、基地局位置情報まで通知するように制御する（Ｓ２０６）。そうでない場合は、位置情報の通知は行わず、Ｓ２０１に戻る。
【００８９】
本実施例によれば、位置情報の粒度を設定できることにより、通話者が移動速度を考慮したタイミング（間隔）で位置情報を取得することができる。
【００９０】
（実施例６）
通話相手となる被呼者が、電話に出られない状況でも、その位置情報を発呼者が取得できると便利である。ここでは、そのような状況に対応できる実施例について説明する。図１５に、本実施例におけるシステム構成の一例を示す。
【００９１】
図１５は、携帯網５０と固定通信網（ＮＷ２）６０を接続した構成例を示したものである。図１５は、図１に示したものと異なり、固定通信網６０、固定通信網６０と接続するための関門交換機（ＥＸ２）７２、関門交換機７２に接続する基地局集約装置（ＣＲ４）３０、固定通信網６０との境界点の相互接続点（ＰＯＩ）７３、固定通信網６０側の交換機（ＥＸ１）７１、および固定端末（ＦＳ１）８０を含めて構成している。なお、基地局集約装置３０の装置構成は、図２に示したものと同じである。なお、認証・管理サーバ４０は、携帯端末１０を呼び出すためのページング情報（ページングエリアとページングエリアを管轄する基地局集約装置３０の情報）を持つものとする。
【００９２】
図１６に、本実施例の動作シーケンスの一例を示す。この例は、固定端末（ＦＳ１）８０から携帯端末ＭＳ２を呼び出す場合の例である。
【００９３】
固定端末（ＦＳ１）８０から、携帯端末ＭＳ２に通話を行うため、固定通信網（ＮＷ２）６０側の交換機（ＥＸ１）７１に接続要求を行う（Ｓ１１０１）。
【００９４】
交換機（ＥＸ１）７１は相互接続点（ＰＯＩ）７３を経由して、携帯網（ＮＷ１）５０側の関門交換機（ＥＸ２）７２に接続要求を行う（Ｓ１１０２）。
【００９５】
関門交換機（ＥＸ２）７２は、この関門交換機（ＥＸ２）７２が接続する基地局集約装置ＣＲ４に接続要求を転送する（Ｓ１１０３）。
【００９６】
関門交換機（ＥＸ２）７２から接続要求を受けた基地局集約装置ＣＲ４は、認証・管理サーバ４０に、宛先の携帯端末ＭＳ２のページングエリアとページングエリアを管轄する基地局集約装置（ＣＲ２）の宛先を問い合わせる（Ｓ１１０４）。ここでは、宛先の携帯端末ＭＳ２の電話番号等を用いて問い合わせる。
【００９７】
認証・管理サーバ４０は、携帯端末ＭＳ２の電話番号からページングエリアと基地局集約装置ＣＲ２の宛先情報を基地局集約装置ＣＲ４に通知する（Ｓ１１０５）と同時に、固定端末（ＦＳ１）８０が位置情報通知サービス対象であるか否かの確認をし、位置情報通知サービス対象（これは事前に登録される）であれば、基地局集約装置ＣＲ２に対して、携帯端末ＭＳ２の呼び出し要求と共に、サービス要求を通知する（Ｓ１１０６）。さらに、基地局集約装置ＣＲ４に対しては呼び出し中を通知する（Ｓ１１０７）。この呼び出し中は、関門交換機（ＥＸ２）７２を介して交換機（ＥＸ１）７１まで転送される（Ｓ１１０８、Ｓ１１０９）。
【００９８】
基地局集約装置ＣＲ２の制御部３０６は、受信した呼び出し要求により、基地局管理情報部３０４の情報を参照して該当するページングエリアに所属する基地局２０に一斉呼び出しを行う（Ｓ１１１０）と同時に、基地局集約装置ＣＲ２のサービス判定部３０５がサービス判定を行う（Ｓ１１１１）。
【００９９】
基地局集約装置ＣＲ２のサービス判定部３０５では、一斉呼び出し後に携帯端末ＭＳ２の位置情報を通知するものと判定し、この判定結果から、基地局集約装置ＣＲ２の制御部３０６は、一定時間待機後、音声パス確立のための返信を認証・管理サーバ４０に行う（Ｓ１１１２）。
【０１００】
認証・管理サーバ４０は、音声パス確立のための返信を基地局集約装置ＣＲ４に送信し（Ｓ１１１３）、以後交換機（ＥＸ１）７１迄、音声パス確立のための返信を行う（Ｓ１１４、Ｓ１１１５）。
【０１０１】
これにより固定端末（ＦＳ１）８０と基地局集約装置ＣＲ２間の音声パスが確立し（Ｓ１１１７）、これと同時に、基地局集約装置ＣＲ２の制御部３０６は、携帯端末ＭＳ２の位置情報を音声で挿入するため、基地局集約装置ＣＲ２の音声パス切替部３０１を音声パスを音声合成・挿入部３０２に切り替えて、音声合成した携帯端末ＭＳ２の位置情報を挿入できるようにする（Ｓ１１１８）。これにより携帯端末ＭＳ２の位置情報、この場合はページングエリアの位置情報を固定端末（ＦＳ１）８０に音声で通知する。
【０１０２】
なお、発呼者を固定電話で説明したが、発呼者が携帯端末でも良い。その場合は、携帯端末ＭＳ１が固定端末（ＦＳ１）８０に対応し、基地局ＣＳｎが交換機（ＥＸ１）７１および関門交換機（ＥＸ２）７２に対応するものとして同様の動作をすることとなる。
【０１０３】
本実施例によれば、通話相手となる被呼者が、電話に出られない状況でも、その位置情報を発呼者が取得できる。
【０１０４】
なお、上述の諸実施形態では、位置情報ＤＢ１０３や、音声パス切替部３０１、音声合成・挿入部３０２を基地局集約装置３０の構成要素として説明したが、これらを別装置として構成するようにしてもよい。
【０１０５】
以上説明したとおり、実施形態１〜６の基地局集約装置を用いた無線通信システムによれば、通話相手との通話を中断せずに、自身または通話相手の現在の位置情報を音声にて取得／通知することができる。
【０１０６】
以上、本発明のいくつかの実施形態を説明した。これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０７】
１０  携帯端末
２０  基地局
３０  基地局集約装置
４０  認証・管理サーバ
５０  携帯網
６０  固定通信網
７１  交換機
７２  関門交換機
７３  相互接続点
８０  固定端末
３０１  音声パス切替部
３０２  音声合成・挿入部
３０３  位置情報ＤＢ部
３０４  基地局管理情報部
３０５  サービス判定部
３０６  制御部
【図１】
0006373735.tif 000002
【図２】
0006373735.tif 000003
【図３】
0006373735.tif 000004
【図４】
0006373735.tif 000005
【図５】
0006373735.tif 000006
【図６】
0006373735.tif 000007
【図７】
0006373735.tif 000008
【図８】
0006373735.tif 000009
【図９】
0006373735.tif 000010
【図１０】
0006373735.tif 000011
【図１１】
0006373735.tif 000012
【図１２】
0006373735.tif 000013
【図１３】
0006373735.tif 000014
【図１４】
0006373735.tif 000015
【図１５】
0006373735.tif 000016
【図１６】
0006373735.tif 000017